(57)【要約】【課題】カメラ装置の放熱性能を高める。【解決手段】カメラ装置Ｃは、表面から放熱し、かつ前側に撮像レンズ１１が設けられた筐体１０と、筐体１０の外周を覆うカバー部材５０と、を備え、カバー部材５０には、前側に開口した前部開口部５１ｆと、この前部開口部５１ｆと連通し、かつ後側に開口した後部開口部５１ｒと、が設けられる。【選択図】図９
2020201348.tif 000002
【特許請求の範囲】
【請求項１】
表面から放熱し、かつ前側に撮像レンズが設けられた筐体と、
前記筐体の外周を覆うカバー部材と、を備え、
前記カバー部材には、
前側に開口した前部開口部と、
前記前部開口部と連通し、かつ後側に開口した後部開口部と、が設けられる
ことを特徴とするカメラ装置。
【請求項２】
請求項１に記載されたカメラ装置において、
前記前部開口部の開口寸法は、前記後部開口部の開口寸法に比して大きい
ことを特徴とするカメラ装置。
【請求項３】
請求項２に記載されたカメラ装置において、
前記カバー部材は、前側から後側に向うにつれて絞られるように形成される
ことを特徴とするカメラ装置。
【請求項４】
請求項１から３のいずれか１項に記載されたカメラ装置において、
前記後部開口部には、その開口縁を架け渡す桟状部が設けられる
ことを特徴とするカメラ装置。
【請求項５】
請求項４に記載されたカメラ装置において、
前記桟状部は、トラス形状を有する
ことを特徴とするカメラ装置。
【請求項６】
請求項１から５のいずれか１項に記載されたカメラ装置において、
前記カバー部材には、
上側に開口した上部開口部と、
前記上部開口部と連通し、かつ下側に開口した下部開口部と、が設けられる
ことを特徴とするカメラ装置。
【請求項７】
請求項１から６のいずれか１項に記載されたカメラ装置において、
前記カバー部材は、金属に比して熱伝導率の低い材料からなる
ことを特徴とするカメラ装置。
【請求項８】
請求項１から７のいずれか１項に記載されたカメラ装置と、
前記カメラ装置を人体に装着するためのカメラ用装着具と、を備える
ことを特徴とする撮像システム。
【発明の詳細な説明】
【技術分野】
【０００１】
ここに開示する技術は、カメラ装置および撮像システムに関する。
【背景技術】
【０００２】
例えば特許文献１には、カメラ本体の筐体と、筐体の外周を覆うカバー部材（日除けカバー）と、筐体の側面に取り付けられる放熱フィンと、を備えたカメラ装置（監視カメラ）が開示されている。
【０００３】
前記特許文献１に係る筐体は、放熱フィンを通じて表面から放熱するようになっている。そして、同文献に係るカバー部材は、カメラ装置の外部筐体を兼用しており、放熱フィンを覆い隠すよう構成されている。
【先行技術文献】
【特許文献】
【０００４】
【特許文献１】特開２００９−２００９１２号公報
【発明の概要】
【発明が解決しようとする課題】
【０００５】
近年、カメラの解像度が向上するに従って、カメラからの発熱量が増大している。それに加えて、いわゆるアクションカメラ等、走行しながら連続的に動画を撮影するような用途も増えている。このように、カメラ自体の性能向上と、カメラの用途の多様化と、に伴って、カメラ装置の放熱性能を従来よりも高めたい、という要求がある。
【０００６】
しかしながら、前記特許文献１に記載されているように、カバー部材で筐体を覆ってしまうと、筐体の表面からの放熱が阻害されてしまう可能性がある。特に、アクションカメラのように野外で用いられるカメラ装置では、カバー部材と筐体との間を空気が流れなくては十分に放熱されないため、一層顕著な問題となる。前記特許文献１に記載されているカバー部材では、前述した要求に応えることができない。
【０００７】
ここに開示する技術は、かかる点に鑑みてなされたものであり、その目的とするところは、カメラ装置の放熱性能を高めることにある。
【課題を解決するための手段】
【０００８】
本開示は、カメラ装置に係る。このカメラ装置は、表面から放熱し、かつ前側に撮像レンズが設けられた筐体と、前記筐体の外周を覆うカバー部材と、を備え、前記カバー部材には、前側に開口した前部開口部と、前記前部開口部と連通し、かつ後側に開口した後部開口部と、が設けられる。
【０００９】
この構成によれば、前部開口部からカバー部材内に空気を取り込むとともに、そうして取り込んだ空気を後部開口部から排出することができる。ここで、カバー部材の内部に取り込まれた空気は、撮像レンズの光軸方向に沿って、前方から後方に向って流れることになる。そうして流れる空気によって、筐体の表面からの放熱を促進することができる。これにより、カメラ装置の放熱性能を高めることが可能になる。
【００１０】
また、前記前部開口部の開口寸法は、前記後部開口部の開口寸法に比して大きい、としてもよい。
【００１１】
この構成によれば、筐体の表面に向うように、空気流を絞り込むことができるため、カメラ装置の放熱性能をより高めることが可能になる。
【００１２】
また、前記カバー部材は、前側から後側に向うにつれて絞られるように形成される、としてもよい。
【００１３】
この構成によれば、空気流の絞り込みを緩慢に行うことができるため、風切り音等の発生を抑制することができる。
【００１４】
また、前記後部開口部には、その開口縁を架け渡す桟状部が設けられる、としてもよい。
【００１５】
この構成によれば、前部開口部および後部開口部を設けたことに起因したカバー部材の剛性低下を抑制することができる。また、桟状部を設けることで、後部開口部から指等が入り込まないようにすることもできる。
【００１６】
また、前記桟状部は、トラス形状を有する、としてもよい。
【００１７】
この構成によれば、カバー部材の剛性低下をより確実に抑制することができる。
【００１８】
また、前記カバー部材には、上側に開口した上部開口部と、前記上部開口部と連通し、かつ下側に開口した下部開口部と、が設けられる、としてもよい。
【００１９】
この構成によれば、筐体の表面からの放熱によって周囲の空気が暖められて上昇したとしても、上部開口部から空気を排出することで、カメラ装置の放熱性能を保持することができる。また、上部開口部に加えて下部開口部を設けることで、上部開口部からの空気の排出がスムースになる。
【００２０】
前記カバー部材は、金属に比して熱伝導率の低い材料からなる、としてもよい。
【００２１】
この構成によれば、カメラ装置を人体に装着したときに、カメラ装置から発せられる熱から人体を守ることができる。
【００２２】
また、本開示は、前記カメラ装置と、前記カメラ装置を人体に装着するためのカメラ用装着具と、を備える撮像システムにも係る。
【００２３】
この構成によれば、カメラ装置の放熱性能を高めることが可能になる。
【発明の効果】
【００２４】
以上説明したように、前記カメラ装置および撮像システムによれば、カメラ装置の放熱性能を高めることが可能になる。
【図面の簡単な説明】
【００２５】
【図１】図１は、撮像システムの全体構成を例示する斜視図である。
【図２】図２は、カメラ装置の構成を例示する斜視図である。
【図３】図３は、カメラ装置の構成を例示する分解斜視図である。
【図４】図４は、カバー部材の構成を例示する斜視図である。
【図５】図５は、カバー部材の構成を例示する正面図である。
【図６】図６は、カバー部材の構成を例示する後面図である。
【図７】図７は、カバー部材の構成を例示する平面図である。
【図８】図８は、カバー部材の構成を例示する下面図である。
【図９】図９は、カメラ装置の内部構造を例示する縦断面図である。
【発明を実施するための形態】
【００２６】
以下、本開示の実施形態を図面に基づいて説明する。なお、以下の説明は例示である。
【００２７】
本実施形態に係るカメラ装置は、カメラ用装着具を介して人体（特に、人体の頭部）に装着されるカメラである。本明細書では、そうしたカメラ装置を備えてなる撮像システムから順番に説明をする。
【００２８】
＜システム構成＞
図１は、撮像システムＳの全体構成を例示する斜視図である。
【００２９】
以下の説明において「前」とは、着用者Ｕにカメラ装置Ｃを装着した状態（装着状態）での、着用者Ｕから見た前側を指す。同様に「後」とは、装着状態での、着用者Ｕから見た後側を指す。「上」、「下」、「左」および「右」についても、着用者Ｃから見た方向として定義する。
【００３０】
本実施形態に係るカメラ装置Ｃは、その撮像レンズ１１を前側に向けた状態で装着されるようになっている。すなわち、撮像レンズ１１の光軸Ａ方向は、着用者Ｕから見た前後方向に一致する。
【００３１】
図１に示すように、撮像システムＳは、着用者Ｕの頭部側方に配置されるカメラ装置Ｃと、このカメラ装置Ｃを人体に装着するためのカメラ用装着具１００と、を備えている。
【００３２】
ここで、カメラ用装着具１００は、着用者Ｕの頭部に沿って掛け回されるベルト部１０２と、着用者Ｕの頭部に対して側方から当接するパッド部材１０３と、パッド部材１０３にカメラ装置Ｃを取り付けるためのマウント部１０４と、を有している。
【００３３】
マウント部１０４にカメラ装置Ｃを取り付けることで、着用者Ｕの頬付近にカメラ装置Ｃが配置されるとともに、そのカメラ装置Ｃの前側に向って撮像レンズ１１が配置されることになる。よって、カメラ装置Ｃを装着した状態で着用者Ｕが走行すると、撮像レンズ１１の光軸Ａ方向に沿って、すなわちカメラ装置Ｃの前側から後側に向って走行風が流れることになる。
【００３４】
本実施形態に係るカメラ装置Ｃは、そうした走行風を冷却に活用するために、種々の工夫が施されている。以下、カメラ装置Ｃの構成のうち、走行風を用いた冷却に係る構成について詳細に説明する。
【００３５】
＜カメラ装置＞
図２は、カメラ装置Ｃの構成を例示する斜視図であり、図３は、カメラ装置Ｃの構成を例示する分解斜視図である。また、図４は、カバー部材５０の構成を例示する斜視図であり、図５は、カバー部材５０の構成を例示する正面図であり、図６は、カバー部材５０の構成を例示する後面図であり、図７は、カバー部材５０の構成を例示する平面図であり、図８は、カバー部材５０の構成を例示する下面図である。また、図９は、カメラ装置Ｃの内部構造を例示する縦断面図である。
【００３６】
図２に例示するように、カメラ装置Ｃは、撮像レンズ１１を有するカメラとして機能するカメラ本体１と、このカメラ本体１の外部筐体として機能するカバー部材５０と、を備えている。
【００３７】
具体的に、カメラ本体１は、その表面から放熱する筐体１０と、この筐体１０の前側に設けられた撮像レンズ１１と、外部電源（不図示）に接続された電源ケーブル６０と、カメラ用装着具１００におけるマウント部１０４に取り付けられる接続部７０と、を有している。
【００３８】
詳しくは、筐体１０は、上下方向の寸法に比して左右方向の寸法が短く、かつ前後方向に延びる矩形薄箱状に形成されている。この筐体１０内には、ＣＣＤイメージセンサ、ＣＭＯＳイメージセンサ等からなる撮像素子（不図示）と、特定用途向け集積回路（Application Specific Integrated Circuit：ＡＳＩＣ）等からなる制御素子（不図示）と、
が収容されている。撮像素子および制御素子は、それぞれ、筐体１０における左右の側壁１０ｓに設けた放熱板（不図示）と熱的に結合されている。
【００３９】
撮像レンズ１１は、筐体１０の前面１０ｆに設けられており、その前面１０ｆから前方に向って延びている。図３に例示するように、カメラ本体１をカバー部材５０で覆った状態において、撮像レンズ１１は、カバー部材５０から前方に突出するようにレイアウトされている。
【００４０】
電源ケーブル６０は、筐体１０の後面から後方に向って延びている。電源ケーブル６０の一端部は、筐体１０内に収容された制御素子等と接続されており、電源ケーブル６０の他端部は、筐体１０外に設けられる外部電源（不図示）と接続されている。
【００４１】
接続部７０は、筐体１０の上面に取り付けられるように構成されており、同上面から上方に向って延びている。この接続部７０には、カメラ用装着具１００におけるマウント部１０４を取り付けることができる。
【００４２】
一方、カバー部材５０は、図３に例示するように、同カバー部材５０における左半部を構成する左カバー部材５０Ｌと、右半部を構成する右カバー部材５０Ｒと、に分割されている。このカバー部材５０は、カメラ本体１における筐体１０の外周を覆うよう構成されている。
【００４３】
また、カバー部材５０は、前後方向に沿って延びる略筒状に形成されており、図４に例示するように、前面、後面、上面および下面のそれぞれが開口している。
【００４４】
具体的に、本実施形態に係るカバー部材５０には、前側に開口した前部開口部５１ｆと、この前部開口部５１ｆと連通し、かつ後側に開口した後部開口部５１ｒと、が設けられている（図４−図６を参照）。
【００４５】
このうち、前部開口部５１ｆは、略筒状とされたカバー部材５０における前側の開口端をなす。カメラ本体１における撮像レンズ１１は、この前部開口部５１ｆから突出し、カバー部材５０の外部に露出するようになっている。着用者Ｕの走行によって生じた走行風は、前部開口部５１ｆを介してカバー部材５０の内部に取り込まれることになる。
【００４６】
また、図５に例示するように、カバー部材５０には、前部開口部５１ｆの開口寸法を拡大するための拡大部５２が設けられている。この拡大部５２は、前部開口部５１ｆの開口寸法を左右方向に広げている。
【００４７】
詳しくは、図４−図５および図９等に例示するように、拡大部５２は、左カバー部材５０Ｌに設けられる左拡大部５２Ｌと、右カバー部材５０Ｒに設けられる右拡大部５２Ｒと、を有している。
【００４８】
このうち、左拡大部５２Ｌは、左カバー部材５０Ｌにおける上下方向の中央部に設けられており、前部開口部５１ｆの開口寸法を左方に向って拡大している。一方、右拡大部５２Ｒは、右カバー部材５０Ｒにおける上下方向の中央部に設けられており、前部開口部５１ｆの開口寸法を右方に向って拡大している。
【００４９】
さらに詳しくは、図９に例示するように、拡大部５２は、前側から後側に向うにつれて、左右方向において徐々に絞られるようになっている。こうすることで、カバー部材５０における左右の内壁が、前側から後側に向うにつれて絞られることになる。
【００５０】
また、図９に例示するように、カバー部材５０における左右の内壁は、カメラ本体１の筐体１０における左右の側壁１０ｓに対し、間隔を空けて向かい合っている。こうすることで、カバー部材５０における左右の内壁と、筐体１０における左右の側壁１０ｓと、の隙間に沿って空気を流すことができる。
【００５１】
対して、後部開口部５１ｒは、略筒状とされたカバー部材５０における後側の開口端をなす。カメラ本体１における電源ケーブル６０は、この後部開口部５１ｒから繰り出されるようになっている。
【００５２】
図９等から見てとれるように、後部開口部５１ｒは、前後方向において前部開口部５１ｆと連通している。よって、前部開口部５１ｆを介して取り込まれた走行風は、後部開口部５１ｒからカバー部材５０の外部に吐出されることになる。
【００５３】
また、図９等に例示するように、カバー部材５０には、前部開口部５１ｆとは異なり、後部開口部５１ｒの開口寸法を拡大する構造が設けられていない。よって、少なくとも左右方向においては、前部開口部５１ｆの開口寸法Ｄｆは、後部開口部５１ｒの開口寸法Ｄｒに比して大きくなる。
【００５４】
また、後部開口部５１ｒには、その開口縁を架け渡す桟状部５３が設けられている。図６に例示するように、本実施形態に係る桟状部５３は、トラス形状を有している。
【００５５】
さらに、本実施形態に係るカバー部材５０には、上側に開口した上部開口部５１ｔと、この上部開口部５１ｔと連通し、かつ下側に開口した下部開口部５１ｂと、が設けられている（図４および図７−図８を参照）。
【００５６】
上部開口部５１ｔおよび下部開口部５１ｂは、カバー部材５０の内部空間（具体的には、カバー部材５０の内周面によって区画された空間）を介して前部開口部５１ｆおよび後部開口部５１ｒと連通している。よって、前部開口部５１ｆを介して取り込まれた走行風は、後部開口部５１ｒばかりでなく、上部開口部５１ｔおよび下部開口部５１ｂからも吐出され得る。
【００５７】
ここで、上部開口部５１ｔは、カバー部材５０の上面に開口している。カメラ本体１における接続部７０は、この上部開口部５１ｔから突出し、カバー部材５０の外部に露出するようになっている。前部開口部５１ｆを介してカバー部材５０の内部に取り込まれた走行風、および、カメラ本体１によって暖められた空気は、上部開口部５１ｔを介してカバー部材５０の外部に吐出される。
【００５８】
対して、下部開口部５１ｂは、カバー部材５０の下面に開口している。図７および図８に例示するように、下部開口部５１ｂは、上部開口部５１ｔと実質的に同じ開口寸法を有している。
【００５９】
また、図４等から見てとれるように、下部開口部５１ｂは、上下方向において上部開口部５１ｔと連通している。よって、上部開口部５１ｔから空気を吐出した分だけ、下部開口部５１ｂ、前部開口部５１ｆおよび後部開口部５１ｒの少なくとも１つから空気が取り込まれる。
【００６０】
また、カバー部材５０は、金属に比して熱伝導率の低い材料からなる。具体的に、本実施形態に係るカバー部材５０は、合成樹脂から形成されている。
【００６１】
＜空気の流れについて＞
本実施形態に係るカメラ装置Ｃは、前述のように、前部開口部５１ｆからカバー部材５０内に空気を取り込むとともに、そうして取り込んだ空気を後部開口部５１ｒから排出することができる。ここで、図９に示すように、カバー部材５０の内部に取り込まれた空気は、撮像レンズ１１の光軸Ａ方向に沿って、前方から後方に向って流れることになる。そうして流れる空気によって、筐体１０の表面（特に、筐体１０の側壁１０ｓ）からの放熱を促進することができる。そのことで、カメラ装置Ｃの放熱性能を高めることが可能になる。
【００６２】
また、図９に示すように、前部開口部５１ｆの開口寸法Ｄｆを、後部開口部５１ｒの開口寸法Ｄｒに比して大きくしたことにより、筐体１０の表面（特に、筐体１０の側壁１０ｓ）に向うように空気流を絞り込むことができる（図９の矢印Ｆｒ，Ｆｌを参照）。これにより、カメラ装置Ｃの放熱性能をより高めることが可能になる。
【００６３】
また、図９に示すように、カバー部材５０の形状を、前側から後側に向うにつれて徐々に絞られるように形成したことで、空気流の絞り込みを緩慢に行うことができる。これにより、風切り音等の発生を抑制することができる。このことは、前述の撮像システムＳのように、カメラ装置Ｃを人体に装着して用いる場合（特に、着用者Ｕの頭部にカメラ装置Ｃが装着される場合）に、取り分け有効となる。
【００６４】
また、図６に示すように、後部開口部５１ｒに桟状部５３を設けたことで、前部開口部５１ｆおよび後部開口部５１ｒを設けたことに起因したカバー部材５０の剛性低下を抑制することができる。また、桟状部５３を設けたことで、後部開口部５１ｒから指等が入り込まないようにすることもできる。
【００６５】
さらに、図６に示すように、桟状部５３がトラス形状を有することで、カバー部材５０の剛性低下をより確実に抑制することができる。
【００６６】
また、図４、図７および図８に示すように、筐体１０の表面からの放熱によって周囲の空気が暖められて上昇したとしても、上部開口部５１ｔから空気を排出することで、カメラ装置Ｃの放熱性能を保持することができる。ここで、上部開口部５１ｔに加えて下部開口部５１ｂを設けたことで、上部開口部５１ｔからの空気の排出がスムースになる。
【００６７】
また、金属に比して熱伝導率の低い材料からカバー部材５０を構成することで、カメラ装置Ｃを人体に装着したときに、カメラ本体１から発せられる熱から人体を守ることができる。
【符号の説明】
【００６８】
Ｓ      撮像システム
Ｃ      カメラ装置
１      カメラ本体
１０    筐体
１１    撮像レンズ
５０    カバー部材
５１ｆ  前部開口部
５１ｒ  後部開口部
５１ｔ  上部開口部
５１ｂ  下部開口部
５２    拡大部
５３    桟状部
１００  カメラ用装着具
Ｄｆ    前部開口部の開口寸法
Ｄｒ    後部開口部の開口寸法
Ｕ      着用者
【図１】
2020201348.tif 000003
【図２】
2020201348.tif 000004
【図３】
2020201348.tif 000005
【図４】
2020201348.tif 000006
【図５】
2020201348.tif 000007
【図６】
2020201348.tif 000008
【図７】
2020201348.tif 000009
【図８】
2020201348.tif 000010
【図９】
2020201348.tif 000011